(57)【要約】【課題】子供の乗せ降ろしが容易なマフを提供する。【解決手段】マフ１００が、チャイルドシートの背もたれの横幅よりも幅広く形成された扇状部を有し、チャイルドシートに乗せた子供と座席との間に敷かれる背面シート１０と、チャイルドシートに乗せた子供の正面を覆う正面被覆部２１を有し、チャイルドシートの背もたれの背面側で固定される正面シート２０と、略Ｕ字形状または略Ｌ字形状であり、正面被覆部２１の外縁の全部または一部に配設される外縁線ファスナ２３と、を備え、外縁線ファスナ２３は、一端の配設位置を、正面シート２０の上辺上、かつ、子供の肩位置とし、前記略Ｕ字形または略Ｌ字形状の最下部の配設位置を、チャイルドシートに子供を乗せたときの子供のひざ下近傍より下側とするように構成されている。【選択図】図１
2014031600.tif 000002
【特許請求の範囲】
【請求項１】
チャイルドシートに対して着脱自在なマフであって、
チャイルドシートの背もたれの横幅よりも幅広く形成された扇状部を有し、チャイルドシートに乗せた子供と座席との間に敷かれる背面シートと、
チャイルドシートに乗せた子供の正面を覆う正面被覆部を有し、チャイルドシートの背もたれ部分の背面側で固定される正面シートと、
略Ｕ字形状または略Ｌ字形状であり、前記正面被覆部の外縁の全部または一部に配設される線ファスナと、
を備え、
前記線ファスナは、一端の配設位置を、前記正面シートの上辺上、かつ、チャイルドシートに子供を乗せたときの子供の肩位置とし、前記略Ｕ字形または略Ｌ字形状の最下部の配設位置を、チャイルドシートに子供を乗せたときの子供のひざ下近傍より下側とするように構成されている
ことを特徴とするマフ。
【請求項２】
前記背面シートは、
チャイルドシートのシートの輪郭に合わせて形成されているシート輪郭部と、
背面に現れる前記シート輪郭部の外側に形成されるとともに、逆Ｕ字形状となるようにギャザー加工が施されたギャザー部と、
該ギャザー部の最頂部近傍に配設された輪郭調整部材とを含む
請求項１に記載のマフ。
【請求項３】
前記背面シートは、チャイルドシートに子供を乗せたときの子供の耳位置近傍に配設される背面シート側シート間接続部材を含み、
前記正面シートは、チャイルドシートに子供を乗せたときの子供の肩口近傍に配設される正面シート側接続部材を含み、
前記背面側シート間接続部材と前記正面シート側接続部材とを相互に接続可能である
請求項１または請求項２記載のマフ。
【請求項４】
前記背面シートは、チャイルドシートに備えられているシートベルトを挿通させるために形成されたベルト挿通部を含み、
該ベルト挿通部は、十文字の切り口を有する
請求項１から請求項３のうち何れかに記載のマフ。
【請求項５】
前記チャイルドシートは、自転車用のチャイルドシートである
請求項１から請求項４のうち何れかに記載のマフ。
【発明の詳細な説明】
【技術分野】
【０００１】
本発明は、チャイルドシートに取り付けるマフに関する。
【背景技術】
【０００２】
従来から、チャイルドシートに乗せた子供を雨風や寒さなどから守るために、チャイルドシートに座っている子供の体を覆うように被せる防寒具としてマフが、一般的に用いられている。
【０００３】
こうしたマフには、例えば、子供の手元から首元までをしっかりと防寒するために、ファー襟部分に配設された面ファスナを用いて子供の首の後ろで接続することにより、子供の体全体をすっぽりと覆うようにしたものがある（例えば、特許文献１参照）。
【先行技術文献】
【特許文献】
【０００４】
【特許文献１】登録実用新案第３１６５６１３号公報
【発明の概要】
【発明が解決しようとする課題】
【０００５】
しかしながら、上記の特許文献１は、子供の乗せ降ろしを行うときに、マフ全体を取り外すのではなく、マフのファー襟部分のみを取り外す構成としているため、子供を覆っている部分が十分に開口せず、子供の乗せ降ろしを行うときに、子供の脚が引っ掛ってしまう。すなわち、上記特許文献１に記載されているようなマフでは、十分に子供を引き上げて脚が引っ掛からないようにする必要があり、不便さが問題となる。
【０００６】
本発明は、上記の問題を解決すべく、マフを取り外すことなく、子供の乗せ降ろしを容易に行えるようにすることを目的とする。
【課題を解決するための手段】
【０００７】
本発明のマフは、チャイルドシートに対して着脱自在なマフであって、チャイルドシートの背もたれの横幅よりも幅広く形成された扇状部を有し、チャイルドシートに乗せた子供と座席との間に敷かれる背面シートと、チャイルドシートに乗せた子供の正面を覆う正面被覆部を有し、チャイルドシートの背もたれ部分の背面側で固定される正面シートと、略Ｕ字形状または略Ｌ字形状であり、前記正面被覆部の外縁の全部または一部に配設される線ファスナと、を備え、前記線ファスナは、一端の配設位置を、前記正面シートの上辺上、かつ、チャイルドシートに子供を乗せたときの子供の肩位置とし、前記略Ｕ字形状または略Ｌ字形状の最下部の配設位置を、チャイルドシートに子供を乗せたときの子供のひざ下近傍より下側とするように構成されていることを特徴とする。
【０００８】
上記の構成としたことで、マフを取り外すことなく、子供の乗せ降ろしを容易に行えるようにすることができるようになる。
【０００９】
前記背面シートは、チャイルドシートのシートの輪郭に合わせて形成されているシート輪郭部と、背面に現れる前記シート輪郭部の外側に形成されるとともに、逆Ｕ字形状となるようにギャザー加工が施されたギャザー部と、該ギャザー部の最頂部近傍に配設された輪郭調整部材とを含む構成とされていてもよい。
【００１０】
前記背面シートは、チャイルドシートに子供を乗せたときの子供の耳位置近傍に配設される背面シート側シート間接続部材を含み、前記正面シートは、チャイルドシートに子供を乗せたときの子供の肩口近傍に配設される正面シート側接続部材を含み、前記背面側シート間接続部材と前記正面側シート間接続部材とを相互に接続可能である構成とされていてもよい。
【００１１】
前記背面シートは、チャイルドシートに備えられているシートベルトを挿通させるために形成されたベルト挿通部を含み、該ベルト挿通部は、十文字の切り口を有する構成とされていてもよい。
【００１２】
前記チャイルドシートは、自転車用のチャイルドシートとされていてもよい。
【発明の効果】
【００１３】
本発明によれば、マフを取り外すことなく、子供の乗せ降ろしを容易に行えるようにすることができる。
【図面の簡単な説明】
【００１４】
【図１】本発明の一実施の形態を示すマフ１００の構成例を説明するための簡略図である。
【図２】背面シートの正面側の構成例を示す簡略図である。
【図３】背面シートの背面側の構成例を示す簡略図である。
【図４】正面シートの正面側の構成例を示す簡略図である。
【図５】正面シートの背面側の構成例を示す簡略図である。
【図６】背面シートの取付け方法を説明するための説明図である。
【図７】正面シートの取付け方法を説明するための説明図である。
【図８】本発明の一実施の形態を示すマフ１００を取り付けたチャイルドシートの背面側の構成例を示す簡略図である。
【発明を実施するための形態】
【００１５】
以下、本発明の一実施の形態の例について図面を参照して説明する。
【００１６】
図１は、本発明の一実施の形態を示すマフ１００の構成例を説明するための簡略図である。図１に示すように、マフ１００は、背面シート１０と、正面シート２０とを含む。
【００１７】
背面シート１０は、自転車用チャイルドシートのシート部分に敷き、チャイルドシートに乗せる子供の背面全体を包むシートである。また、背面シート１０（特に、シート輪郭部１１および扇状部１２）は、着用している子供に対してふかふかした心地よさを与え、かつ、十分な防寒性能を実現するために、キルティング加工を施し、内部に中綿ないし、ダウンフェザーを詰めて構成されている。さらに、背面シートは、チャイルドシートに相対する面にすべり止めを有する。
【００１８】
図２および図３は、背面シート１０の構成例を説明するための簡略図であり、図２が背面シート１０の正面側の構成例を示す簡略図であり、図３が背面シート１０の背面側の構成例を示す簡略図である。
【００１９】
図２および図３に示すように、背面シート１０は、シート輪郭部１１と、扇状部１２と、ギャザー部１３と、輪郭調整部材１４と、背面シート側シート間接続部１５と、ベルト挿通部１６とを有する。
【００２０】
シート輪郭部１１は、チャイルドシートのシートの輪郭に合わせて形成されている部分である。ここでいう「輪郭」とは、チャイルドシートの背もたれ部分から、台座部分までが形成する輪郭部分のことをいう。通常、チャイルドシートは、背もたれ部分と台座部分とで形成される輪郭部分は、直線状に形成されておらず、「くの字」状に折れ曲がっている。したがって、シート輪郭部１１は、上段部分と下段部分との間に折れ目を加えた２段構造になっており、くの字状に折れ曲がるように構成されている。なお、具体的には、図３にて示すように、背もたれ部の輪郭である逆Ｕ字形状と、台座部の輪郭であるＵ字形状との間に折れ目を加えた、カプセル形状をしている。
【００２１】
扇状部１２は、シート輪郭部１１の背もたれ部分に対応する位置の外周において、外側に向けて扇状に広がるように形成されている部分である。背面シート１０をチャイルドシートに敷いたときに、扇状部１２がシート輪郭部１１から外に張り出すことにより、背面シート１０は、襟が立ったような状態となる。
【００２２】
ギャザー部１３は、背面シート１０の背面に現れるシート輪郭部１１の外側に形成されるとともに、逆Ｕ字形状となるようにギャザー加工が施された部分である。後述する輪郭調整部材１４により、締付調整が行われて、すぼむように構成されている。
【００２３】
輪郭調整部材１４は、シート輪郭部１１の輪郭長を自在に変更可能な部材であり、シート輪郭部１１の最上部近傍に配設されている紐である。具体的には、輪郭調整部材１４は、背面シート１０の内部から外部に突出する紐と、所望の長さを維持することができるストッパーとを含んで構成されている。また、特に図示はしていないが、輪郭調整部材１４を収納するための収納穴を有するように構成されていると好ましい。
【００２４】
背面シート側シート間接続部材１５は、背面シート１０の子供と相対する側に配設された面ファスナであり、チャイルドシートに子供を乗せたときの子供の耳位置近傍に配設される。そして、正面シート２０に配設された正面シート側第二接続部材２５ｂと接続することにより、背面シート１０と正面シート２０とを接続する。すなわち、背面シート１０の扇状部１２のうち正面シート２０では覆いきれずにはみ出ている部分と、正面シート２０とが接続されることとなり、チャイルドシートに乗った子供の耳まですっぽりと覆うことができるようになる。なお、本例では、背面シート側シート間接続部材１５として面ファスナを配設しているが、面ファスナに限られず、たとえば、点ファスナやフック式の係合部材などを配設することもできる。
【００２５】
ベルト挿通部１６は、図２および図３に示すように、チャイルドシートに備えられているシートベルトを挿通させるために形成された孔である。また、本例では、背面シート１０は、計５つのベルト挿通部１６を含むように構成されている。具体的には、背面シート１０は、２つの上段ベルト孔１６ａと、２つの中段ベルト孔１６ｂと、１つの下段ベルト孔１６ｃを含むように構成されている。
【００２６】
上段ベルト孔１６ａは、子供をチャイルドシートに乗せたときの、子供の肩上位置から伸びるシートベルトを背面シート１０に挿通させるために形成されたベルト孔である。
【００２７】
中段ベルト孔１６ｂは、子供をチャイルドシートに乗せたときの、子供の腰横位置から伸びるシートベルトを背面シート１０に挿通させるために形成されたベルト孔である。
【００２８】
下段ベルト孔１６ｃは、子供をチャイルドシートに乗せたときの、子供の股下位置から伸びるシートベルトを背面シート１０に挿通させるために形成されたベルト孔である。
【００２９】
また、ベルト挿通部１６は、十文字の切り口となるように形成されている。したがって、シートベルトを構成するバックルやタングなどの比較的大きな部材を容易に挿通させることができる。
【００３０】
次に、本例の正面シート２０は、自転車用チャイルドシートに乗せた子供の正面を覆い、チャイルドシートの背もたれの背面側で固定されるシートである。正面シート２０（特に、正面被覆部２１および首覆い部２９）は、着用している子供に対してふかふかした心地よさを与え、かつ、十分な防寒性能を実現するために、キルティング加工を施し、内部に中綿ないし、ダウンフェザーを詰めて構成されている。また、正面シート２０の表地は、外部からの汚れの付着や、雨の侵入を防ぐため、撥水加工が施されたビニルを素材とする。一方で、正面シート２０の裏地は、チャイルドシートに座る子供に直接触れるため、肌触りを重視した素材を用いることが好ましい。
【００３１】
図４および図５は、正面シート２０の構成例を説明するための簡略図である。特に、図４は、正面シート２０の正面側の構成例を説明するための簡略図であり、図５は、正面シート２０の背面側の構成例を説明するための簡略図である。
【００３２】
図４および図５に示すように、正面シート２０は、正面被覆部２１と、外周被覆部２２と、外縁線ファスナ２３と、中心ライン線ファスナ２４と、正面シート側シート間接続部２５と、手すり固定部材２６と、締付調整部材２７と、固定ベルト２８と、首覆い部２９とを含む。
【００３３】
正面被覆部２１は、図１に示すように、正面シート２０のうち、チャイルドシートに乗せた子供の正面全体に覆い被せられる部分である。正面被覆部２１は、中心ライン線ファスナ２４を間に挟んで二分されている。二分されているいずれか一方の正面被覆部２１を上前にし、中心ライン線ファスナ２４と覆うように、比翼仕立てで形成されている。
【００３４】
外周被覆部２２は、正面シート２０のうち、正面被覆部２１の外周に設けられている部分であり、チャイルドシートの背もたれの背面側に回す部分である。背面側に回された外周被覆部２２は、固定ベルト２８で固定される。なお、チャイルドシートに子供を乗せたときの子供の足元にあたる外周被覆部２２の裏地部分は、子供の靴と直接触れる部分となっており、汚れやすい。したがって、表地に用いられている素材と同様の素材を用いる。
【００３５】
外縁線ファスナ２３は、略Ｕ字形状または略Ｌ字形状であり、前記正面被覆部２１に外縁の全部または一部に配設されている部材である。図４に示すように、外縁線ファスナ２３は、一端の配設位置を、正面シート２０の上辺上、かつ、チャイルドシートに子供を乗せたときの子供の肩位置とする。そして、略Ｕ字形状または略Ｌ字形状の最下部の配設位置を、チャイルドシートに子供を乗せたときの子供のひざ下位置近傍より下とする。
【００３６】
すなわち、図４に示すように、外縁線ファスナ２３を略Ｕ字形状としたときは、外縁線ファスナ２３は、チャイルドシートに子供を乗せたときの子供の両肩位置を端点とし、最下部を子供の膝下位置よりも下側に位置するように形成されることとなる。なお、略Ｕ字形状であるときは、端点は、一方を始点とし、他方を終点とする構成、または両方を始点とする構成、いずれの構成でもよい。
【００３７】
一方で、外縁線ファスナ２３を略Ｌ字形状としたときは、外縁線ファスナ２３は、チャイルドシートに子供を乗せたときの子供の一方の肩位置を端点とし、最下部を子供の膝下位置よりも下側に位置するように形成されることとなる。なお、略Ｌ字形状であるときは、端点は、外縁線ファスナ２３を開ける始点となる。
【００３８】
中心ライン線ファスナ２４は、正面被覆部２１の略中心位置を縦断するように配設された線ファスナである。中心ライン線ファスナ２４は、２本配設されており、それぞれの中心ライン線ファスナ２４は、少し離して略平行に配設されている。
【００３９】
正面シート側第一接続部材２５ａは、正面シート２０の表地に配設された面ファスナであり、チャイルドシートに子供を乗せたときの子供の肩口近傍に配設される。正面シート側第一接続部材２５ａは、首覆い部２９に配設される正面シート側第二接続部材２５ｂに対して着脱自在に接続可能な部材である。正面シート側第一接続部材２５ａと正面シート側第二接続部材２５ｂとを接続することにより、チャイルドシートに乗せた子供の首回りが開いた状態を容易に作り出すことができるようになり、温度変化に対して柔軟に対応できることとなる。なお、本例では、正面シート側第一接続部材２５ａとして面ファスナを配設しているが、面ファスナに限られず、たとえば、点ファスナやフック式の係合部材などを配設することもできる。
【００４０】
また、正面シート側第二接続部材２５ｂは、正面シート２０の表地に配設された面ファスナであり、チャイルドシートに子供を乗せたときの子供の首の部分を覆う首覆い部２９に配設される。そして、正面シート側第二接続部材２５ｂは、背面シート１０の扇状部１２に配設された背面シート側シート間接続部材１５と接続することにより、背面シート１０と正面シート２０とを接続する。すなわち、背面シート１０の扇状部１２のうち正面シート２０では覆いきれずにはみ出ている部分と、正面シート２０とが接続されることとなり、チャイルドシートに乗った子供の耳まですっぽりと覆うことができるようになる。なお、本例では、正面シート側第二接続部材２５ｂとして面ファスナを配設しているが、面ファスナに限られず、たとえば、点ファスナやフック式の係合部材などを配設することもできる。
【００４１】
手すり固定部材２６は、正面シート２０の裏面（すなわち、子供に相対する面）に配設された紐であり、チャイルドシートの手すりと正面シート２０とを固定する紐である。チャイルドシートの手すりを挿通させる必要があるので、手すり固定部材２６は、リング状に形成されている。
【００４２】
締付調整部材２７は、チャイルドシートに子供を乗せたときの子供の首の高さに配設されている締め付け調整可能な紐である。具体的には、締付調整部材２７は、正面シート２０の内部から外部に突出する紐と、所望の長さを維持することができるストッパーとを含んで構成されている。また、特に図示はしていないが、締付調整部材２７を収納するための収納穴を有するように構成されていると好ましい。
【００４３】
固定ベルト２８は、正面シート２０をチャイルドシートの背面側で固定するために配設されているベルトである。
【００４４】
首覆い部２９は、正面被覆部２１の上辺に取り付けられており、チャイルドシートに乗せる子供の首を覆う部分である。首覆い部２９の下辺は、正面被覆部２１の上辺と線ファスナにより接続されており、首覆い部２９は着脱自在に構成されている。
【００４５】
次に、本例のマフ１００の自転車用チャイルドシートへの取り付け方法について図面を用いて説明する。
【００４６】
図６から図８は、本例の自転車用チャイルドシートへの取り付け方法説明するための簡略図である。特に、図６は、背面シートの取付け方法を説明するための説明図であり、図７は、正面シートの取付け方法を説明するための説明図である。また、図８は、本発明の一実施の形態を示すマフ１００を取り付けたチャイルドシートの背面側の構成例を示す簡略図である
【００４７】
図６に示すように、まず、ユーザは、背面シート１０のシート輪郭部１１を、チャイルドシートの背もたれ部分と台座部分とに合わせて、背面シート１０をチャイルドシートに敷く。このときに、ユーザは、シートベルトを備え付けているチャイルドシートであったときには、背面シート１０を敷く前に、ベルト挿通穴部にベルトを挿通させておく。
【００４８】
背面シート１０をチャイルドシートに敷いた後に、背面シート１０に配設された輪郭調整部材１４を用いて、背面シート１０のシート輪郭部１１と、チャイルドシートの背もたれ部分との高さが等しくなるように調整する。
【００４９】
背面シート１０の位置決めを終えると、ユーザは、背面シート１０が敷かれているチャイルドシートに対して、正面被覆部２１が子供を乗せたときの子供の正面略全体を覆うように、正面シート２０を覆い被せる。また、正面シート２０の上辺が、子供が座ったときの首の高さにくるように調整する。
【００５０】
このとき、正面シート２０を覆い被せる前に、手すりを備えるチャイルドシートである場合には、手すり固定部材を用いてチャイルドシートの手すりと正面シート２０とを固定する。
【００５１】
チャイルドシートの手すりを正面シート２０に固定すると、チャイルドシートの背面側で固定ベルト２８を用いて正面シート２０を固定する。
【００５２】
そして、締付調整部材２７を用いて、締め付け具合を調整する。このようにして、チャイルドシートに対して、マフ１００を取り付ける。このように本例のマフ１００を取り付けたときに背面側から見ると、図８に示すように、背面シートの扇状部が上部にシートの背もたれ部分の上部からはみ出るように顔をだすとともに、全体をＵ字状に覆う外周被覆部は、固定ベルトにより固定される状態となる。
【００５３】
以上、本例のマフ１００のチャイルドシートに対する取り付け方法の説明を行った。次に、チャイルドシートに取り付けた本例のマフ１００の使用方法について説明する。
【００５４】
まず、本例のマフ１００を取り付けたチャイルドシートに子供の乗せる方法について説明する。
【００５５】
ユーザは、正面被覆部２１の外縁に配設されているＵ字形状の外縁線ファスナ２３を、２辺が開くように開ける。すなわち、ユーザは、チャイルドシートに子供を乗せたときの一方の肩位置から、対角に位置するひざ下近傍よりも下の位置まで正面シート２０を開ける。
【００５６】
このように略Ｌ字形状に外縁線ファスナ２３を開けると、チャイルドシートに乗せる子供の両足幅分正面シート２０を開口することができる。すなわち、子供の座る台座部分よりも下側において、正面シート２０は、子供の両足幅以上に開口する。したがって、マフ１００を取り付けたチャイルドシートに子供を乗せるときに、子供の脚が引っ掛ることがなくなり、スムーズな乗せ降ろしが可能となる。
【００５７】
十分に正面被覆部２１が開口したマフ１００に対して、子供を座らせる。座らせた子供に対して、背面シート１０に挿通させたシートベルトを取り付けて、子供を、チャイルドシートに固定する。
【００５８】
マフ１００を取り付けたチャイルドシートに子供を乗せて、シートベルトにより固定すると、ユーザは、正面シート２０に配設された外縁線ファスナ２３を開けたルートを戻すように閉める。これにより、図１に示すように、チャイルドシートに乗せた子供の顔部分がマフ１００の隙間から見えるようになる。すなわち、チャイルドシートに乗せた子供から雨や寒さを防ぐことができるようになる。
【００５９】
さらに、背面シート側シート間接続部材１５と正面シート側第二接続部材２５ｂとを、それぞれの面ファスナを留め合うことにより接続する。これにより、扇状部１２が巻き立ち、子供の耳部分および首部分までをすっぽりと覆う状態にすることができる。したがって、さらに防寒、防風及び防雨効果を向上させることができる。
【００６０】
なお、天候や時間帯によっては、気温が高い日もある。このように気温が高い日には、背面シート側シート間接続部材１５と正面シート側第二接続部材２５ｂとの接続を取り外し、外気に触れる部分を多くして対応すればよい。さらに、首覆い部２９を取り外す、または正面シート側第一接続部材２５ａと正面シート側第二接続部材２５ｂとを接続することによって、首回りの正面側をオープンな状態にすればよい。このように構成されているので、本例のマフ１００は、温度変化に対して柔軟に対応することができる。
【００６１】
次に、子供を降ろす方法について説明する。
【００６２】
本例のマフ１００を取り付けたチャイルドシートから子供を降ろすときは、まず、接続している背面シート側シート間接続部材１５と正面シート側第二接続部材２５ｂとの面ファスナ同士をはがす。そして、Ｕ字形状の外縁線ファスナ２３少なくともＬ字に開口するまで、開く。少なくともＬ字に開口するまで、外縁線ファスナ２３を開くことにより、乗せる方法で説明したときと同様に、子供の座る台座部分よりも下側において、正面シート２０は、子供の両足幅以上に開口する。したがって、脚が引っ掛かることなく子供を降ろすことができる。
【００６３】
本例では、上記のようにして、マフ１００を用いる。
【００６４】
以上に説明したように、上述した実施の形態では、マフが、チャイルドシートの背もたれの横幅よりも幅広く形成された扇状部を有し、チャイルドシートに乗せた子供と座席との間に敷く背面シート（例えば、背面シート１０）と、チャイルドシートに乗せた子供の正面を覆う正面被覆部を有し、チャイルドシートの背もたれの背面側で固定される正面シート（例えば、正面シート２０）と、略Ｕ字形状または略Ｌ字形状であり、前記正面被覆部に外縁の全部または一部に配設される線ファスナ（例えば、外縁線ファスナ）と、を備え、前記線ファスナは、一端の配設位置を、前記正面シートの上辺上、かつ、子供の肩位置とし、前記略Ｕ字形または略Ｌ字形状の最下部の配設位置を、チャイルドシートに子供を乗せたときの子供のひざ下近傍より下側とするように構成されている構成としているので、座席に座る子供の全身を覆い防寒、防風などに用いられるマフ（例えばマットマフ）において、子供の乗せ降ろし作業を容易に行うことができるようになる。
【００６５】
すなわち、外縁線ファスナを開けると、正面シートが、子供の座る台座部分よりも下側において子供の両足幅以上に開口するため、マフを取り付けたチャイルドシートに子供を乗せるときに、子供の脚が引っ掛ることがなくなり、スムーズな乗せ降ろしが可能となる。
【００６６】
また、上述した実施の形態では、シート輪郭部の背もたれ部分に対応する位置の外周において、外側に向けて扇状に広がるように形成されている扇状部を含んで構成されている。したがって、背面シートがチャイルドシートに敷かれると、扇状部が張り出して、襟が立ったような状態となり、チャイルドシートに子供を乗せたときに、後頭部から耳回りまでをすっぽりと覆うこととなるため、防寒、防風および防雨効果が向上する。
【００６７】
また、上述した実施の形態では、背面シートのシート輪郭部の輪郭を調整することができる輪郭調整部材を含んで構成されている。したがって、背面シートとチャイルドシートのシート面とのフィット感が良くなるだけでなく、扇状部に立体感と力強さとが生まれるため、快適な乗り心地を提供することができるようになる。
【００６８】
また、上述した実施の形態では、背面シートの背面側であり、チャイルドシートに子供を乗せたときの子供の耳位置近傍に配設された背面シート側シート間接続部材と、正面シートの正面側であり、チャイルドシートに子供を乗せたときの子供の肩位置近傍に配設された正面シート側接続部材（例えば、正面シート側第二接続部材）とを含むように構成されている。したがって、チャイルドシートに子供を乗せたときに、後頭部から耳回りまでをすっぽりと覆うこととなるため、防寒、防風および防雨効果が向上する。
【００６９】
また、上述した実施の形態では、十文字の切り口を有するベルト挿通部を含むように構成されている。したがって、シートベルトを構成するバックルやタングなどの比較的大きな部材を容易に挿通させることができる。
【００７０】
また、上述した実施の形態では、自転車用のチャイルドシートに対して取り付けられるマフとして構成されている。したがって、子供の乗せ降ろしを急ぐ必要がある場面においても、煩わしさなく容易に乗せ降ろしが可能となる。
【００７１】
なお、本例のマフは、前乗せタイプの自転車用チャイルドシートまたは後乗せタイプの自転車用チャイルドシートのいずれでも取り付けることができるように構成されている。したがって、多様なタイプのチャイルドシートに対応が可能である。
【００７２】
なお、本例では、自転車用のチャイルドシートにマフ１００を取り付ける例を挙げて説明をしているが、自転車用に限らずあらゆるチャイルドシートに対応できる。例えば、自動車用のチャイルドシートに取り付けることもできる。
【産業上の利用可能性】
【００７３】
本発明は、チャイルドシートに取り付け容易なマフを提供するのに有用である。
【符号の説明】
【００７４】
１０        背面シート
１１        シート輪郭部
１２        扇状部
１３        ギャザー部
１４        輪郭調整部材
１５        背面シート側シート間接続部
１６        ベルト挿通部
２０        正面シート
２１        正面被覆部
２２        外周被覆部
２３        外縁線ファスナ
２４        中心ライン線ファスナ
２５ａ      正面シート側第一接続部材
２５ｂ      正面シート側第二接続部材
２６        手すり固定部材
２７        締付調整部材
２８        固定ベルト
２９        首覆い部
１００      マフ
【図１】
2014031600.tif 000003
【図２】
2014031600.tif 000004
【図３】
2014031600.tif 000005
【図４】
2014031600.tif 000006
【図５】
2014031600.tif 000007
【図６】
2014031600.tif 000008
【図７】
2014031600.tif 000009
【図８】
2014031600.tif 000010